(57)【要約】      （修正有）【課題】様々な態様の滑走面での使用ができるようカスタマイズ可能にした人体移動装置（アイススケート用のブレードが連結された人体移動装置）を提供する。【解決手段】使用者が滑走面を滑走することができ、進行方向の操作が可能なアイススケート用のブレード３６と、前記滑走面から見て、アイススケート用のブレード３６の上部に位置し、使用者の足の前後方向がアイススケート用のブレード３６の進行方向と交差するように使用者の足を支持するためのフットプラットフォーム１４と、フットプラットフォーム１４とアイススケート用のブレード３６を連結する少なくとも１以上の留め具３０と、からなる人体移動装置であって、使用者が一対の人体移動装置を使用し、足を揺り動かす動作により推進力を得るようにする。【選択図】図６
2011005286.tif 000002
【特許請求の範囲】
【請求項１】
使用者が滑走面を滑走することができ、進行方向の操作が可能なアイススケート用のブレードと、
前記滑走面から見て、前記アイススケート用のブレードの上部に位置し、使用者の足の前後方向が前記アイススケート用のブレードの進行方向と交差するように使用者の足を支持するためのフットプラットフォームと、
前記フットプラットフォームと前記アイススケート用のブレードを連結する少なくとも１以上の留め具と、からなる人体移動装置であって、
使用者が一対の人体移動装置を使用し、足を揺り動かす動作により推進力を得るようにした、人体移動装置。
【請求項２】
前記フットプラットフォームが、同一面上の２枚の面からなる請求項１に記載の人体移動装置。
【請求項３】
前記同一面上の２枚の面が、Ｌ字型フットボードに形成されて第１のフットボード及び第２のフットボードをなし、該第１及び第２フットボードはほぼ平面な素材から形成されたもので、該第１及び第２フットボードの両方がそれぞれＬ字型に形成されている、請求項２に記載の人体移動装置。
【請求項４】
第１のフットボードと、
第２のフットボードと、
使用者の足を支持する該第１及び第２フットボードと、
ほぼ平面な素材から形成され、それぞれ約９０度に折れ曲がっている該第１フットボード及び第２フットボードであって、該第１フットボード及び第２フットボードの各第１平面がほぼ平行をなし、各第２平面が同一面上になっている該第１フットボード及び第２フットボードと、
アイススケート用のブレードと、
前記第１及び第２フットボードを、前記の平行な第１平面において連結する少なくとも１つの留め具であって、前記アイススケート用のブレードを貫通して前記第１フットボード及び第２フットボードを固定する前記の少なくとも１つの留め具と、
からなる人体移動装置であって、
使用者が一対の人体移動装置を使用し、足を揺り動かす動作により推進力を得るようにした、人体移動装置。
【発明の詳細な説明】
【技術分野】
【０００１】
本発明は人体移動装置に関する。より具体的には、使用者の片足を載せて支持するようになっており、簡単に交換可能な移動手段アタッチメントが固定されている人体移動手段に関するものである。足の支持部と種々の移動手段アタッチメントを備えることで、様々な態様の滑走面において使用者を移動させることができる新たな装置を提供する。
【背景技術】
【０００２】
一般に、人体移動装置と言えば、スポーツや運動で使われるスケートやスケートボードなどのことを指す。
近年、従来の一般的な運動や娯楽に代わって、いわゆる「極限スポーツ」が刺激的で楽しいものとして急速に人気を集めている。たとえば、スケートボード大会が全国で定期的に開催されており、その流行は、さらにゲームや映画などの人気メディアにも広がっている。プロのスケートボーダーの知名度も上がり、いろんな商品のマーケティングやプロモーションに起用されている。同じく、インラインスケートや、ストリートリュージュ、トリックバイクライディングなども、愛好者が急増している。
【０００３】
この種のスポーツや娯楽をさらに発展させるには、新たな極限スポーツを開発したり、既存のスポーツをさらに改良していく必要がある。極限スポーツの愛好家たちは、すでに自分たちのスキルを試し、より刺激を得ることのできるような、新たな方法や装置を模索している。
【０００４】
例えば、スケートボードは、最初は平地上で操作することから始まり、ダウンヒルレース、ハーフパイプやランプなどが生まれ、さらには区切られたスペースで種々の技に挑戦することのできる特設スケートパークにまで発展した。挑戦する技が高度になるにつれ、スケートボードの技術も進化した。単純な２軸構造の車輪付き木製厚板は、コンピュータでデザインした組成板をハイテクなプラスチックウィールに載せたものに変わった。最新のスケートボードには、ライダーを補助するサスペンションまで設けたものもある。
【０００５】
スケートボーダーやインラインスケーターなどは、滑走面の態様が違うと、その装備を使用できなくなる点で制限を受けている。一度技術を習得すると、実質上、舗装面での使用に限られてくるが、地域都市計画法により公道におけるスケートボードやローラースケートなどのレクリエーション活動が禁止されることが多いため、娯楽として非常に制約を受けることになる。
【発明の概要】
【発明が解決しようとする課題】
【０００６】
いずれにせよ、既存の極限スポーツや人体移動装置では、アクロバティックな動きが制限され、操作性も悪く、人体移動という分野における要求を満たしていない。例えば、簡単に交換できる種々のアタッチメントを備え、様々な態様の滑走面で使用できるような人体移動装置が望まれている。また、一対にして使用のできる人体移動装置も望まれている。このような単独または一対で使用できる装置により、取り組み甲斐のある、独特な娯楽経験を提供することができる。従って、本発明は、様々な態様の滑走面での使用ができるようカスタマイズ可能にした人体移動装置を提供するものである。
【図面の簡単な説明】
【０００７】
【図１】本発明を理解するための第1の参考例で、一対の人体移動装置の使用状態を斜視図にしたものである。
【図２】図１に記載の本発明参考例による人体移動装置の斜視図である。
【図３】図１に記載の本発明参考例による人体移動装置の底面図である。
【図４】図１に記載の本発明参考例による人体移動装置の背面図である。
【図５】使用者の足を固定するストラップを備えた、本発明の第２の参考例による人体移動装置の上面図である。
【図６】アイススケート用のブレードをアタッチメントに使用した、本発明の実施例による人体移動装置の側面図である。
【図７】スキー板をアタッチメントに使用した本発明の第3の参考例による人体移動装置の側面図である。
【図８】本発明の第４の参考例による人体移動装置の正面図である。
【図９】図８に記載の本発明参考例による人体移動装置の側面図である。
【発明を実施するための最良の形態】
【０００８】
本発明は、使用者が自分自身を滑走させることのできる、単独でも一対でも使用可能な人体移動装置を提供する。
本発明による人体移動装置は、様々な輪郭及び形状のフットプラットフォームを備えたものが望ましい。フットプラットフォームは、使用者の足を載せて支持するためのもので、アイススケートのブレードからなる移動手段アタッチメントに固定する。この移動手段アタッチメントによって滑走面を滑走することができるようになる。また、移動手段アタッチメントは、各種タイプのものをすばやく交換することができる。
【０００９】
フットプラットフォームは、滑走面から見て移動手段アタッチメントとしてのアイススケート用のブレードの上に設置し、使用者の載せた足の前後方向が、アイススケート用のブレードにより動こうとする方向と交差するようにする。本発明において「交差」と言った場合、必ずしも直角交差でなくてもよい。フットプラットフォームに使用者の足を固定するために、ストラップを１本以上設けてもよい。
【００１０】
また、連結していない一対の移動装置に、片足ずつ載せて使用することもできる装置が望ましい。その場合、別々のプラットフォームに片足ずつ載せた時に、足の向きが移動装置による移動方向に対してほぼ垂直になるようにする。推進力は、ダウンヒルスロープなどでは重力により、その他の場合は、使用者が足を振り動かすことにより得られる。
【００１１】
それぞれ別個の装置に片足ずつ載せて使用するという、新しく独自性のある構成により、革新的な技やトリックを演じることができるようになる。
【００１２】
ある実施例では、フットプラットフォームを２枚のフットボードで構成し、アイススケート用のブレードの両側に１枚ずつ設置する。もちろん、１枚のフットボードで、使用者の片足を載せるためのフットプラットフォームを形成してもよい。また、様々な構成で、フットプラットフォームとアイススケート用のブレードを固定することができる。
以下に、これまで挙げた実施例及びその他の実施例を説明する。
【００１３】
本発明の実施形態を実施例を挙げて説明するが、本発明は実施例に限定されるものではない。当業者が本発明を参考にすれば、本発明分野に留まらず、本発明を有効活用できるであろうその他の分野においても、本発明にさらに改良や変更を加えた使用方法や実施例を見出すことができるだろう。
【００１４】
本発明の実施例を説明する前に、本発明を理解するのに都合のよい参考例を図１に示す。
使用者１０は、一対の人体移動装置１２、１２’の上に立っている。本装置の一部をなすフットプラットフォームには、様々な輪郭や形状のものを使用することができる。プラットフォームは、使用者の足を載せて支持するためのもので、直列ウィールやアイススケートのブレード、スキー板などの移動手段アタッチメントに固定する。この移動手段アタッチメントによって滑走面を滑走することができるようになる。フットプラットフォームは、滑走面から見て移動手段アタッチメントの上部に設置し、使用者の載せた足の前後方向が、移動手段アタッチメントにより動こうとする方向と交差するようにする。
【００１５】
第1のフットボード１４と第２のフットボード１６が、使用者の足を支えるフットプラットフォームとなる。図１では、地面と接している２本の直列ウィール１８、２０が、移動手段アタッチメントである。ウィールは軸２２、２２’を中心に回転し（図３参照）、使用者１０をウィールの回転方向に移動させる。
【００１６】
使用者の足は、その前後方向がウィールの回転方向と交差する位置になるよう、フットプラットフォームにより支持されるため、使用者１０は移動方向に対しておよそ直角または横向きの姿勢を取るようになる。本装置を使うと、横向きの姿勢になることで、片足をもう一方の足のさらに前に出すことができるようになる。このようにオフセットな姿勢をとることができると、特に滑走面がオフキャンバーの場合に、使用者のバランスがよくなる。
【００１７】
本装置を一対にして使用する場合は、使用者が両足を「シザーリング」させる、または交互に振り動かすことにより走行できるため、従来のスケートボードでは必須である片足での「キックプッシュ」が不要となる。
使用者１０は、少し円を描くような感じで、それぞれの足を交互に反対方向に動かしてはずみをつけながら、足を前後に振り動かすだけでよい。上級者になればなるほど、足を早く振り動かすことができ、よって早く移動することができる。
このような本装置１２，１２’に平面で乗るための方法は、使用者が横向きの姿勢になり、装置が連結されていないという点において独特なものである。もちろん、使用者１０は装置１２を単体で使用することもでき、その場合空いたほうの足は、推進力を得るために利用することができる。
【００１８】
図２は、図1のより詳細な図である。移動装置１２の主要な構成部品は、フットプラットフォーム、移動手段アタッチメント、及び、その両者の接続部の３つである。図にあるように、フットプラットフォームは、第１のフットボード１４及び第２のフットボード１６からなり、移動手段アタッチメントは２本の直列ウィール１８、２０からなる。
【００１９】
本発明では、後述のように、アイススケートのブレードを移動手段アタッチメントとして用いるが、図2の参考例のような、ウィールを使用する場合、２本のウィールを直列に並べるのではなく、２本以上のウィールを横に並べてセットにしたものを直列に並べて、移動手段アタッチメントとしてもよい。この構成の場合、車輪の中心を同じくするウィールのセットと、１組以上の同様のウィールセットを直列に並べて、各セットを何らかの方法でフットプラットフォームに固定すればよい。
【００２０】
フットボード１４、１６は、Ｌ字型のプラットフォームに成形する。構成材には、金属、グラスファイバー、プラスチックなどの種々の素材を用いることができる。プラットフォームは、約９０度に折れ曲がった部分でふたつのセクションにわけられる。
各フットボードの第１のセクション２４、２４’は滑走面に対し垂直に配置し、第２のセクション２６、２６’は滑走面に対しほぼ平行または水平に配置する。第２のセクション２６、２６’は、２枚で面を為すよう同一面上に配置して、使用者の足を置くフットプラットフォームを形成する。
【００２１】
水平セクション２６及び２６’は、それぞれ上面にフットパッド２８、２８’を有している。このフットパッドは、通常、使用者の足と装置の間の静止摩擦を高めるために設けるものであるが、メーカーやスポンサーのロゴや商標をつけるなど、デザイン面でも活用できる。
【００２２】
好ましい実施例では、フットボードにしっかりと貼り付けた固い質感のプラスチックでフットパッド２８、２８’を構成している。もちろん、フットパッド２８、２８’はプラスチック、粘着シート、その他の同様の素材、またはそれらを組み合わせて形成してもよい。フットパッドは、フットプラットフォームが単一の一体型ボードからなる場合も使用することができる。
【００２３】
フットプラットフォームと移動手段アタッチメントは、複数の留め具を使用して連結する。使用する留め具の数は、移動手段アタッチメントの種類やその構造によって違う。留め具は、フットボードを移動手段アタッチメントにしっかり連結し、装置１２を安定させることができるもので、かつ、種々の移動手段アタッチメントを簡単に交換できる構造を有したものでなければならない。また、使用者１０の体重が、フットプラットフォームから留め具に伝わるため、留め具は使用者を支持するのに十分な強度を有したものでなければならない。
【００２４】
本発明の実施例では、ボルトを留め具３０、３０’として用いている（図６）。ボルトは、垂直セクション２４、２４’の通孔を貫通させる。フットボードの垂直セクションの上端は、移動手段アタッチメントすなわちアイススケート用のブレード３６よりも高くなるようにし、フットボードに載せた使用者の足が移動手段アタッチメントに接触しないようにする。
【００２５】
前述のように、図２の移動手段アタッチメントは、一体に形成した車軸２２、２２’を有する直列ウィール１８、２０からなる。ウィールは、車軸の長さに沿って位置が固定されるが、各ウィールはベアリング３２を有し、ウィールが軸回転できるようになっている。留め具３０、３０’は車軸を貫通させ、締め具３４、３４’によって所定の位置に固定する。車軸２２、２２’は、その幅により両側のフットボードに対ししっかり固定される。
【００２６】
図３は、車軸２２、２２’、留め具３０、３０’、及び、締め具３４、３４’をより詳細に図示した底面図である。留め具３０、３０’は、片方のフットボードの通孔から差し込み、スリーブ状の車軸２２、２２’に通す。留め具３０、３０’は、車軸より長く形成して、もう一方のフットボードの対応する通孔から突き出させる。そして、締め具３４、３４’を用いて、留め具３０、３０’が車軸から抜けないように固定すると共に、効率よく２枚のフットボードを連結する。
【００２７】
また、本発明では、移動手段アタッチメントの装置１２への脱着が容易な構成であることが利点であるので、締め具には蝶ナットを使用するのが望ましい。蝶ナットは、締めたり外したりするのに特別な工具などを必要としないため特に適している。もちろん、普通のナットやクランプなどを締め具として用いてもよい。
【００２８】
図４に、２枚のフットボードの位置関係をよりわかりやすく図示する。前述のように、フットボードの垂直セクション２４、２４’は、移動手段アタッチメントより高くなるように形成する。使用者の足は、一対の水平セクション２６、２６’によって支持される。フットパッド２８、２８’は、水平セクションの上面に設置する。
【００２９】
以上に、一体型車軸構造に関する、移動手段アタッチメントとフットプラットフォームの接続手段を参考例として開示したが、別の接続手段も可能である。例えば、ボルトやスクリューなどのような留め具を使い、移動手段アタッチメントの両サイドを二面剪断式に固定することもできるし、片持ち式、一面剪断式などの、スケートボードには通常使われない手段によることもできる。
【００３０】
図５は、使用者の足を装置１２に固定するための調節可能なストラップＳを備えた装置１２の実施例である。ストラップＳは必須のものではないが、ジャンプなどのアクロバティックな技を演じる際に、装置１２が使用者の足から離れてしまうのを防ぐのに役立つ。
【００３１】
好ましい実施例では、ストラップＳを装置１２の対角線上に設置し、フットボード１４、１６の一番離れたポイントでそれぞれの端を固定している。もちろん、違う配置の仕方もできる。例えば、２本目のストラップをフットボード１４、１６のもう一方の向かい合う角で固定し、１本目のストラップの上でＸ字に交差させてもよい。ストラップは、本数に関わらず、２枚のフットボードに架け渡す必要はなく、一方のフットボードだけにループ状に設けて足を差し込むようにしてもよい。いずれの場合も、ストラップは足や靴のサイズに合わせて調節可能である。
【００３２】
装置１２の移動手段アタッチメントには様々なバリエーションが参考例として考えられるが、図６の本発明の実施例では、アイススケート用のブレードが移動手段アタッチメントの役割を果たしている。前述の参考例と同じく、移動手段アタッチメントであるブレード３６に留め具３０、３０’を貫通させて、ブレードをフットボードに固定する。また、軸やスリーブなどの部品を用いて、ブレード３６と両側のフットボードとの距離を一定に保ち、装置１２を安定させるのが望ましい。
【００３３】
図７は、スキー板３８を装置１２の移動手段アタッチメントとして用いた本発明の参考例である。この例では、スキー板３８に２つのストラット４０、４０’があり、このストラットを留め具３０、３０’でフットボードに固定する。ストラットは装置１２から下向きにスキー板３８に向けて設置する。
【００３４】
図８、９は、フットプラットフォームに単体のフットボード４２を用いた実施例である。前述のように、フットプラットフォームには、様々な輪郭や形状のものを用いることができる。この実施例では、フットボード４２の両端が２枚のサイドウォールを形成している。つまり、トレイのように形成したフットボードで、使用者の足を支えるようにする。サイドウォールには、複数の通孔４４、４４’を設け、１本または複数のストラップをこの通孔を通して装置１２に接続してもよい。
【００３５】
単体のフットボードを用いる場合、移動手段アタッチメントは様々な方法でフットプラットフォームに固定できる。図８、９では、直列ウィール１８、２０を移動手段アタッチメントとして用いている。これに逆Ｕ字型のブラケット４６を連結する。フットボード４２とブラケット４６は、ボルトなどのコネクタ４８で固定する。コネクタ４８は、ピボットするものでもよい。また、コネクタ４８には、フットボード４２を直列ウィール１８、２０に対して回転させるための既知の組立部品を使用してもよい。
【００３６】
簡単にまとめると、本発明の人体移動装置を使えば、２つの連結していない装置に乗って自らを滑走させるというユニークな方法を楽しむことができる。
【００３７】
以上に、実施例のほか参考例を挙げて本発明を説明したが、本発明の範囲を逸れることなく、数多くの変形や改良を加えることができることは明らかである。従って、添付の請求項の範囲内であれば、明細書で具体的に解説した以外にも本発明を実施することができることが理解されよう。
【００３８】
本発明の、その他各種の目的、特徴、それに伴う利点等は、添付の図面を参照したときにより理解されるだろう。図面において、同様の部品には同じ番号を付した。
【図１】
2011005286.tif 000003
【図２】
2011005286.tif 000004
【図３】
2011005286.tif 000005
【図４】
2011005286.tif 000006
【図５】
2011005286.tif 000007
【図６】
2011005286.tif 000008
【図７】
2011005286.tif 000009
【図８】
2011005286.tif 000010
【図９】
2011005286.tif 000011